Podtech/llm-jp-corpus-v4-ja_patent huggingface dataset:
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、複数種類の入賞について発生を許容するか否かを決定する事前決定手段と、
前記事前決定手段の決定結果に応じて表示結果を導出させる制御を行なう導出制御手段と、
遊技者にとって有利な有利状態に制御するとともに、継続して制御されることが期待できる期待期間を異ならせる複数種類の制御条件のうちの一の制御条件を設定し、設定した前記一の制御条件に基づいて前記有利状態を継続させる有利状態制御手段と、
前記有利状態において特定条件が成立するまでに前記一の制御条件に基づいて実行する演出であって、前記特定条件が成立した後においても前記有利状態が継続することを期待できる割合である期待割合が異なる複数種類の示唆演出のうちいずれかの示唆演出を選択して実行する示唆演出実行手段と、
前記有利状態において、前記一の制御条件の期待期間が所定期間以上であるときには前記所定期間未満であるときよりも高い割合で特定演出を実行する特定演出実行手段とを備え、
前記示唆演出実行手段は、前記特定演出が実行されてから、当該特定演出が実行されることにより設定されていることが期待できる制御条件である期待制御条件の期待期間が経過するまでは、前記期待割合が所定の割合以下となる示唆演出を選択する割合を低下させる低下制御を行なうことを特徴とし、
前記特定演出実行手段は所定操作に応じて前記特定演出を実行する、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】００１０
【補正方法】変更
【補正の内容】
【００１０】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、複数種類の入賞について発生を許容するか否かを決定する事前決定手段と、
前記事前決定手段の決定結果に応じて表示結果を導出させる制御を行なう導出制御手段と、
遊技者にとって有利な有利状態に制御するとともに、継続して制御されることが期待できる期待期間を異ならせる複数種類の制御条件のうちの一の制御条件を設定し、設定した前記一の制御条件に基づいて前記有利状態を継続させる有利状態制御手段と、
前記有利状態において特定条件が成立するまでに前記一の制御条件に基づいて実行する演出であって、前記特定条件が成立した後においても前記有利状態が継続することを期待できる割合である期待割合が異なる複数種類の示唆演出のうちいずれかの示唆演出を選択して実行する示唆演出実行手段と、
前記有利状態において、前記一の制御条件の期待期間が所定期間以上であるときには前記所定期間未満であるときよりも高い割合で特定演出を実行する特定演出実行手段とを備え、
前記示唆演出実行手段は、前記特定演出が実行されてから、当該特定演出が実行されることにより設定されていることが期待できる制御条件である期待制御条件の期待期間が経過するまでは、前記期待割合が所定の割合以下となる示唆演出を選択する割合を低下させる低下制御を行なうことを特徴とし、
前記特定演出実行手段は所定操作に応じて前記特定演出を実行する。
なお、スロットマシンは、以下の構成を備えていてもよい。
遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシン（スロットマシン１）であって、
前記可変表示装置に表示結果が導出される前に、複数種類の入賞について発生を許容するか否かを決定する事前決定手段（内部抽選処理）と、
前記事前決定手段の決定結果に応じて、前記可変表示装置に表示結果を導出させる制御を行なう導出制御手段（リール回転処理）と、
遊技者にとって有利な有利状態（ＡＴ、変形例の［有利状態について］欄のＲＴ，有利モードなど）に制御するとともに、継続して制御されることが期待できる期待期間（期待継続期間）を異ならせる複数種類の制御条件（複数種類のナビストック数など）のうちの一の制御条件を設定し、該設定した設定制御条件に基づいて前記有利状態を継続させる有利状態制御手段（ＡＴ管理処理など）と、
前記有利状態において特定条件（３０ゲーム消化）が成立するまでに前記設定制御条件に基づいて実行する演出（バトル演出）であって、前記特定条件が成立した後においても前記有利状態が継続することを期待できる割合である期待割合（ＡＴが継続することを期待できる期待割合）が異なる複数種類の示唆演出（味方攻撃パターン、双方攻撃パターン、敵方攻撃パターン）のうちいずれかの示唆演出を選択して実行する示唆演出実行手段（バトル演出処理、図１７）と、
前記有利状態において、前記設定制御条件の期待期間が所定期間（たとえば、ナビストック数「３」に対応する「９０ゲーム」）以上であるときには前記所定期間未満であるときよりも高い割合で特定演出（第１特定演出、第２特定演出）を実行する特定演出実行手段（特定演出処理、図１６）とを備え、
前記示唆演出実行手段は、前記特定演出が実行されてから、当該特定演出が実行されることにより設定されていることが期待できる制御条件である期待制御条件（期待ナビストック数）の期待期間（期待継続期間）が経過するまでは、前記期待割合が所定の割合以下となる示唆演出（敵方攻撃パターン）を選択する割合を低下させる低下制御を行なう（図１７参照）。
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
電子回路基板上に装着されている個別の電子部品の情報を示すために視認可能に表記される識別情報として、
電子部品から第１距離を介した位置として電子部品の近傍に表記された第１識別情報と、
複数の電子部品による電子部品群から前記第１距離より長い第２距離を介して表記された複数の第２識別情報による第２識別情報群と、
を有する電子回路基板が取り付けられた遊技機において、
前記第２識別情報群の少なくとも一つは、
文字列方向に前記第２距離よりも短い第３距離を介し、前記文字列方向とは異なる方向に前記第３距離よりも短い第４距離を介して表記されている複数の前記第２識別情報を含むことを特徴とする遊技機。
【手続補正２】
【補正対象書類名】明細書
【補正対象項目名】０００５
【補正方法】変更
【補正の内容】
【０００５】
本発明に係る遊技機は、電子回路基板上に装着されている個別の電子部品の情報を示すために視認可能に表記される識別情報として、電子部品から第１距離を介した位置として電子部品の近傍に表記された第１識別情報と、複数の電子部品による電子部品群から前記第１距離より長い第２距離を介して表記された複数の第２識別情報による第２識別情報群と、を有する電子回路基板が取り付けられた遊技機において、前記第２識別情報群の少なくとも一つは、文字列方向に前記第２距離よりも短い第３距離を介し、前記文字列方向とは異なる方向に前記第３距離よりも短い第４距離を介して表記されている複数の前記第２識別情報を含む。
【手続補正３】
【補正対象書類名】明細書
【補正対象項目名】０００６
【補正方法】変更
【補正の内容】
【０００６】
また遊技機は、電子回路基板上に装着されている個別の電子部品の情報を示すために視認可能に表記される識別情報として、電子部品から第１距離を介した位置として電子部品の近傍に表記された第１識別情報と、複数の電子部品による電子部品群から前記第１距離より長い第２距離を介して表記された複数の第２識別情報による第２識別情報群とを有する電子回路基板が取り付けられている。そして前記電子回路基板は、隣接する第２識別情報同士が前記第２距離よりも短い第３距離だけ離間して表記された前記第２識別情報群を有する。
識別情報は必ずしも部品近傍の第１識別情報のみとはせず、第２識別情報を用いて表記することで、部品配置やその密集性に関わらず、電子部品毎に識別情報をわかりやすい状態で表記できる。特に第２識別情報群内では、各第２識別情報を比較的短い第３距離を離間させて配置することで、第２識別情報群としてのまとまりを維持し、電子部品群との対応の認識性を良好とし、かつそれぞれの第２識別情報を見やすくできる。
また遊技機においては、少なくとも一部の前記第２識別情報群は、同一種類の電子部品による電子部品群に対応し、当該第２識別情報群における複数の第２識別情報は、同一種類の電子部品についての情報を示していることが望ましい。
電子部品群と第２識別情報群を、同一種類の電子部品に適用する。これにより電子部品群と第２識別情報群の対応をより明確にし、各第２識別情報もわかりやすいものとできる。
また第２識別情報群内のそれぞれの第２識別情報の表記も効率化できる。
また遊技機においては、前記電子回路基板は、識別情報を形成する文字の上下方向が、遊技機本体の上下方向とは逆方向とならない状態で、遊技機に取り付けられていることが望ましい。これにより遊技機に装着された状態での識別情報の視認性を高める。
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
通常遊技状態及び該通常遊技状態よりも遊技者にとって有利な有利遊技状態に制御する遊技状態制御手段と、
第１の状態及び該第１の状態よりも遊技者にとって有利な第２の状態に制御する状態制御手段と、
前記有利遊技状態に制御するか否かを決定する有利遊技状態決定手段と、
前記第２の状態に制御するか否かを決定する状態決定手段と、
一連の演出期間において前記有利遊技状態に制御される可能性を示唆する演出を行い、最終的に前記有利遊技状態に制御される旨を示す第１の演出結果または前記有利遊技状態に制御されない旨を示す第２の演出結果のいずれかの演出結果を導く特定演出を実行する特定演出実行手段と、
前記特定演出の開始後、前記演出結果が示される前に特別演出を実行する特別演出実行手段と、
を備え、
前記状態決定手段は、前記有利遊技状態決定手段が前記有利遊技状態に制御するか否かを決定する特定の条件が成立したときに前記第２の状態に制御するか否かを決定し、
前記特定演出実行手段は、前記特定の条件が成立したことを契機として前記特定演出を実行可能であり、
前記特定演出において前記特別演出が実行され、該特定演出の演出結果として前記第２の演出結果が導かれた場合に、前記特定演出において前記特別演出が実行されずに該特定演出の演出結果として前記第２の演出結果が導かれた場合よりも前記第２の状態に制御する比率が高く、
前記特定演出において前記特別演出が実行された場合に、前記特別演出が実行されなかった場合よりも前記第１の演出結果が導かれる割合が高い、スロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
通常遊技状態及び該通常遊技状態よりも遊技者にとって有利な有利遊技状態に制御する遊技状態制御手段と、
第１の状態及び該第１の状態よりも遊技者にとって有利な第２の状態に制御する状態制御手段と、
前記有利遊技状態に制御するか否かを決定する有利遊技状態決定手段と、
前記第２の状態に制御するか否かを決定する状態決定手段と、
一連の演出期間において前記有利遊技状態に制御される可能性を示唆する演出を行い、最終的に前記有利遊技状態に制御される旨を示す第１の演出結果または前記有利遊技状態に制御されない旨を示す第２の演出結果のいずれかの演出結果を導く特定演出を実行する特定演出実行手段と、
前記特定演出の開始後、前記演出結果が示される前に特別演出を実行する特別演出実行手段と、
を備え、
前記状態決定手段は、前記有利遊技状態決定手段が前記有利遊技状態に制御するか否かを決定する特定の条件が成立したときに前記第２の状態に制御するか否かを決定し、
前記特定演出実行手段は、前記特定の条件が成立したことを契機として前記特定演出を実行可能であり、
前記特定演出において前記特別演出が実行され、該特定演出の演出結果として前記第２の演出結果が導かれた場合に、前記特定演出において前記特別演出が実行されずに該特定演出の演出結果として前記第２の演出結果が導かれた場合よりも前記第２の状態に制御する比率が高く、
前記特定演出において前記特別演出が実行された場合に、前記特別演出が実行されなかった場合よりも前記第１の演出結果が導かれる割合が高い
ことを特徴としている。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
回路基板を収納する第１部材及び第２部材からなる基板ケースと、
前記第１部材と前記第２部材とを封止状態とするために用いられる封印シールと、
前記第１部材に設けられた第１部材側封印シール貼付部と、
前記第２部材に設けられた第２部材側封印シール貼付部と、
を備え、
前記封印シールは、
該封印シールの粘着力を低下させるために所定の溶剤が用いられたときに表示内容が消える溶剤変化部と、
各々の封印シールを識別可能な識別情報が表示された第１識別情報表示部と、
識別情報が符号化された符号情報が表示された第２識別情報表示部と、
周縁に形成された切込部と、
を有し、
前記第１識別情報表示部と前記第２識別情報表示部とは、前記所定の溶剤が用いられたときに表示内容が消えないものであり、
前記第１部材側封印シール貼付部と前記第２部材側封印シール貼付部とに跨るように貼付されたときに該第１部材側封印シール貼付部と該第２部材側封印シール貼付部との境界部に位置しない部分に前記溶剤変化部が配置されている
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００５
【補正方法】変更
【補正の内容】
【０００５】
そこで、この種の回路基板を、ベース体（第１部材）とカバー体（第２部材）とからなる基板ケースに収納するとともに、封印シールを貼付することにより開封された場合にはその痕跡が残るように封止状態とすることで、回路基板に不正行為が行われた可能性があることを容易に発見することができるようにしたものがある。
【手続補正４】
【補正対象書類名】明細書
【補正対象項目名】００１０
【補正方法】変更
【補正の内容】
【００１０】
前記課題を解決するために、本発明の請求項１に記載の遊技機は、
遊技を行うことが可能な遊技機であって、
回路基板を収納する第１部材及び第２部材からなる基板ケースと、
前記第１部材と前記第２部材とを封止状態とするために用いられる封印シールと、
前記第１部材に設けられた第１部材側封印シール貼付部と、
前記第２部材に設けられた第２部材側封印シール貼付部と、
を備え、
前記封印シールは、
該封印シールの粘着力を低下させるために所定の溶剤が用いられたときに表示内容が消える溶剤変化部と、
各々の封印シールを識別可能な識別情報が表示された第１識別情報表示部と、
識別情報が符号化された符号情報が表示された第２識別情報表示部と、
周縁に形成された切込部と、
を有し、
前記第１識別情報表示部と前記第２識別情報表示部とは、前記所定の溶剤が用いられたときに表示内容が消えないものであり、
前記第１部材側封印シール貼付部と前記第２部材側封印シール貼付部とに跨るように貼付されたときに該第１部材側封印シール貼付部と該第２部材側封印シール貼付部との境界部に位置しない部分に前記溶剤変化部が配置されている
ことを特徴としている。
この特徴によれば、溶剤により剥離した封印シールを再度貼付するといった不正行為を抑制できる。
本発明の手段１の遊技機は、
所定の遊技を行うことが可能な遊技機（例えば、スロットマシン１／パチンコ遊技機１００１）であって、
回路基板（例えば、遊技制御基板４０／主基板１０３１）を収納する第１被覆体（例えば、ベース部材２０１／ベース部材１２０１）及び第２被覆体（例えば、カバー部材２０２／カバー部材１２０２）からなる基板ケース（例えば、基板ケース２００／基板ケース１２００）と、
前記第１被覆体と前記第２被覆体とを封止状態（例えば、基板ケースが開封されたらその痕跡が残るように閉鎖した第２封止状態）とするために用いられる封印シール（例えば、封印シール４００／封印シール１４００）と、
前記第１被覆体に設けられた第１被覆体側封印シール貼付部（例えば、ベース側封印部２２９／ベース側封印部１２２９）と、
前記第２被覆体に設けられた第２被覆体側封印シール貼付部（例えば、カバー側封印部２２４／カバー側封印部１２２４）と、
を備え、
前記封印シールは、
該封印シールの粘着力を低下させるために所定の溶剤が用いられたときに該溶剤が使用された痕跡を示す溶剤使用表示部（例えば、所定の剥離液と接触することにより該剥離液に溶解する特殊インクにて印刷形成された溶剤使用表示部４５０Ａ〜４５０Ｄ／溶剤使用表示部１４５０Ａ〜１４５０Ｄ）を有し、
前記第１被覆体側封印シール貼付部と前記第２被覆体側封印シール貼付部とに跨るように貼付されたときに該第１被覆体側封印シール貼付部と該第２被覆体側封印シール貼付部との境界部（例えば、境界部Ｚ）に位置しない部分に前記溶剤使用表示部が配置されている（例えば、図１５（Ａ）に示すように、封印シール４００は、基板ケース２００に貼付されたときに境界部Ｚに掛からない位置に溶剤使用表示部４５０Ａ〜４５０Ｄが印刷されている。／図３０（Ａ）に示すように、封印シール１４００は、基板ケース１２００に貼付されたときに境界部Ｚに掛からない位置に溶剤使用表示部１４５０Ａ〜１４５０Ｄが印刷されている。）
ことを特徴としている。
この特徴によれば、溶剤を使用して封印シールの粘着力を低下させようとした場合、該封印シールの溶剤使用表示部に該溶剤が使用された痕跡が残ることで、溶剤を使用して封印シールの粘着力を低下させようとしたことがわかるようになるため、溶剤により剥離した封印シールを再度貼付するといった不正行為を抑制できるとともに、封止状態としたときに溶剤使用表示部が境界部に掛かることがないので、例えば、遊技店において回路基板の検査等のために封印シールを破断して基板ケースを開放したことにより溶剤使用表示部が破断してしまうことで、それ以前に溶剤と接触した痕跡が表れていたことが判りにくくなってしまうことが防止される。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
回路基板を収納する第１部材及び第２部材からなる基板ケースと、
前記第１部材と前記第２部材とを封止状態とするために用いられる封印シールと、
を備え、
前記基板ケースは、互いに異なる方向を向く複数の貼付面を有する封印シール貼付部を有し、
前記封印シールは、
該封印シールの粘着力を低下させるために所定の溶剤が用いられたときに表示内容が消える溶剤変化部と、
各々の封印シールを識別可能な識別情報が表示された第１識別情報表示部と、
識別情報が符号化された符号情報が表示された第２識別情報表示部と、
周縁に形成された切込部と、
を有し、
前記第１識別情報表示部と前記第２識別情報表示部とは、前記所定の溶剤が用いられたときに表示内容が消えないものであり、
前記複数の貼付面に跨るように貼付されたときに一の貼付面と他の貼付面との間に形成される角部に位置しない部分に前記溶剤変化部が配置されている
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００５
【補正方法】変更
【補正の内容】
【０００５】
そこで、この種の回路基板を、ベース体（第１部材）とカバー体（第２部材）とからなる基板ケースに収納するとともに、封印シールを貼付することにより開封された場合にはその痕跡が残るように封止状態とすることで、回路基板に不正行為が行われた可能性があることを容易に発見することができるようにしたものがある。
【手続補正４】
【補正対象書類名】明細書
【補正対象項目名】００１０
【補正方法】変更
【補正の内容】
【００１０】
前記課題を解決するために、本発明の請求項１に記載の遊技機は、
遊技を行うことが可能な遊技機であって、
回路基板を収納する第１部材及び第２部材からなる基板ケースと、
前記第１部材と前記第２部材とを封止状態とするために用いられる封印シールと、
を備え、
前記基板ケースは、互いに異なる方向を向く複数の貼付面を有する封印シール貼付部を有し、
前記封印シールは、
該封印シールの粘着力を低下させるために所定の溶剤が用いられたときに表示内容が消える溶剤変化部と、
各々の封印シールを識別可能な識別情報が表示された第１識別情報表示部と、
識別情報が符号化された符号情報が表示された第２識別情報表示部と、
周縁に形成された切込部と、
を有し、
前記第１識別情報表示部と前記第２識別情報表示部とは、前記所定の溶剤が用いられたときに表示内容が消えないものであり、
前記複数の貼付面に跨るように貼付されたときに一の貼付面と他の貼付面との間に形成される角部に位置しない部分に前記溶剤変化部が配置されている
ことを特徴としている。
この特徴によれば、溶剤により剥離した封印シールを再度貼付するといった不正行為を抑制できる。
本発明の手段１の遊技機は、
所定の遊技を行うことが可能な遊技機（例えば、スロットマシン１／パチンコ遊技機１００１）であって、
回路基板（例えば、遊技制御基板４０／主基板１０３１）を収納する第１被覆体（例えば、ベース部材２０１／ベース部材１２０１）及び第２被覆体（例えば、カバー部材２０２／カバー部材１２０２）からなる基板ケース（例えば、基板ケース２００／基板ケース１２００）と、
前記第１被覆体と前記第２被覆体とを封止状態（例えば、基板ケースが開封されたらその痕跡が残るように閉鎖した第２封止状態）とするために用いられる封印シール（例えば、封印シール４００／封印シール１４００）と、
を備え、
前記基板ケースは、互いに異なる方向を向く複数の貼付面（例えば、後貼付面２２９ａ、右下貼付面２２９ｂ、前貼付面２２４ａ、右上貼付面２２４ｂ／前貼付面１２２９ａ、右下貼付面１２２９ｂ、右上貼付面１２２４ｂ）を有する封印シール貼付部（例えば、ベース側封印部２２９、カバー側封印部２２４／ベース側封印部１２２９、カバー側封印部１２２４）を有し、
前記封印シールは、
該封印シールの粘着力を低下させるために所定の溶剤が用いられたときに該溶剤が使用された痕跡を示す溶剤使用表示部（例えば、所定の剥離液と接触することにより該剥離液に溶解する特殊インクにて印刷形成された溶剤使用表示部４５０Ａ〜４５０Ｄ／溶剤使用表示部１４５０Ａ〜１４５０Ｄ）を有し、
前記複数の貼付面に跨るように貼付されたときに一の貼付面と他の貼付面との間に形成される角部（例えば、後貼付面２２９ａと右下貼付面２２９ｂとの間に形成される角部Ｃ１、前貼付面２２４ａと右上貼付面２２４ｂとの間に形成される角部Ｃ２／前貼付面１２２９ａと右下貼付面１２２９ｂとの間に形成される角部Ｃ１０）に位置しない部分に前記溶剤使用表示部が配置されている（例えば、図１５（Ａ）に示すように、封印シール４００は、基板ケース２００に貼付されたときに角部Ｃ１、Ｃ２に掛からない位置に溶剤使用表示部４５０Ａ〜４５０Ｄが印刷されている。／図３０に示すように、封印シール１４００は、基板ケース１２００に貼付されたときに角部Ｃ１０に掛からない位置に溶剤使用表示部１４５０Ａ〜１４５０Ｄが印刷されている。）
ことを特徴としている。
この特徴によれば、溶剤を使用して封印シールの粘着力を低下させようとした場合、該封印シールの溶剤使用表示部に該溶剤が使用された痕跡が残ることで、溶剤を使用して封印シールの粘着力を低下させようとしたことがわかるようになるため、溶剤により剥離した封印シールを再度貼付するといった不正行為を抑制できるとともに、基板ケースに貼付されたときに溶剤使用表示部が角部に掛かることがないので、溶剤使用表示部の視認性が損なわれることを防止できる。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
複数のスイッチング素子の直列回路により上下のアームをそれぞれ形成し、上下アームのそれぞれの中間部からダイオードを介して接地し、前記上下アームの接続点から負荷を介して接地し、上下アームの両端に直流電源を接続した電力変換装置の保護装置であって、
前記アームを形成する複数のスイッチング素子のそれぞれについて、コレクタとゲート間に接続されたクランプ素子を含む過電圧抑制回路と、ゲートにゲート信号を与える信号発生回路と、該信号発生回路と並列に配置された過電圧検出回路を設けており、
前記過電圧検出回路は、前記スイッチング素子の過電圧の際に前記過電圧抑制回路に得られるクランプ電流から前記過電圧の継続時間を監視してスイッチング素子の破損を検出することを特徴とする電力変換装置の保護装置。
【請求項２】
請求項１記載の電力変換装置の保護装置であって、
前記電力変換装置は、前記上下アームの前記中間部と、前記直流電源側端子または前記上下アームの接続点との間にそれぞれ複数のスイッチング素子を配置するとともに、該複数のスイッチング素子を同じスイッチングパルスにより駆動したものであることを特徴とする電力変換装置の保護装置。
【請求項３】
請求項１記載の電力変換装置の保護装置であって、
前記電力変換装置は、前記上下アームの前記中間部と、前記直流電源側端子または前記上下アームの接続点との間にそれぞれ単一のスイッチング素子を配置したものであることを特徴とする電力変換装置の保護装置。
【請求項４】
請求項１から請求項３のいずれか１項に記載の電力変換装置の保護装置であって、
前記過電圧の継続時間は、前記ゲートにゲート信号を与えたときに生じる前記スイッチング素子のコレクタ電圧の過電圧の継続時間よりも長く設定されていることを特徴とする電力変換装置の保護装置。
【請求項５】
請求項２に記載の電力変換装置の保護装置であって、
多段直列接続された同一スイッチング動作のスイッチング素子として、ＭＯＳゲート半導体素子を採用し、ＭＯＳゲート半導体素子間の電圧分担をバランスさせるために、ある閾値以上の電圧印加時に電流を流すようなクランプ素子の段数を、電圧の跳ね上がりを積極的に抑制する数に調整することで、通常スイッチング動作時にはＭＯＳゲート半導体の直列電圧のバランス化を図ることを特徴とする電力変換装置の保護装置。
【請求項６】
複数のスイッチング素子としてＭＯＳゲート半導体の直列回路により上下のアームをそれぞれ形成し、上下アームのそれぞれの中間部からダイオードを介して接地し、前記上下アームの接続点から負荷を介して接地し、上下アームの両端に直流電源を接続した電力変換装置の保護方法であって、
第１のスイッチング素子と直列に接続された同一アーム内の他の第２のスイッチング素子が破損した時に、前記第１のスイッチング素子に閾値以上の電圧が加わった時に電流を流すクランプ素子を設け、前記クランプ素子から流れてきた電流をＭＯＳゲート半導体のゲートに供給しインピーダンスを下げることで、前記ＭＯＳゲート半導体の過電圧を抑制するとともに、前記クランプ素子の電流が一定時間以上流れたことを検出することで、第２のスイッチング素子の破損を検出することを特徴とする電力変換装置の保護方法。
【請求項７】
請求項６に記載の電力変換装置の保護方法であって、
第２のスイッチング素子が破損した時には、第２のスイッチング素子に印加される過電圧により前記クランプ素子から流れてくるゲート電流の時間をカウントすることで異常を検出し、通常スイッチング時には、前記クランプ素子から流れてくるゲート電流の時間が短くなり異常を誤検出しないように前記クランプ素子の段数を決めていることを特徴とする電力変換装置の保護方法。
【請求項８】
複数のスイッチング素子の直列回路により上下のアームをそれぞれ形成し、上下アームのそれぞれの中間部からダイオードを介して接地し、前記上下アームの接続点から負荷を介して接地し、上下アームの両端に直流電源を接続した電力変換装置の保護方法であって、
前記スイッチング素子のうち第１のスイッチング素子が破損し、直列接続された第２のスイッチング素子の電圧が上昇した時に、第２のスイッチング素子の過電圧を過電圧抑制回路で抑制し、第２のスイッチング素子の過電圧が一定時間以上発生していることを過電圧検出回路で検出することで、第１のスイッチング素子の破損を検知することを特徴とする電力変換装置の保護方法。
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
ニッキングおよび伸長増幅の反応をリアルタイムでモニタリングする方法であって、
（ａ）試験試料を、等温条件下で、ポリメラーゼ、それぞれが標的核酸分子上の相補的配列に特異的に結合する２つ以上のプライマーオリゴヌクレオチド、ニッキング酵素、および検出可能なポリヌクレオチドプローブと接触させるステップであって、前記プライマーオリゴヌクレオチドのそれぞれは、前記標的核酸分子と相補的な配列の３’末端に位置する１つ以上の２’修飾ヌクレオチドを含むステップ；
（ｂ）前記標的核酸分子の少なくとも一部を含むアンプリコンを生成するステップ；ならびに
（ｃ）シグナルをリアルタイムで検出し、それにより前記標的核酸分子を定量するステップ
を含む方法。
【請求項２】
前記試験試料は、病原体を含む、請求項１に記載の方法。
【請求項３】
前記病原体は、ウイルス、細菌、酵母または真菌である、請求項２に記載の方法。
【請求項４】
前記試験試料は、生物試料である、請求項１に記載の方法。
【請求項５】
前記生物試料は、生物体液、細胞、または組織試料である、請求項４に記載の方法。
【請求項６】
前記生物体液は、尿、精液、膣分泌液、または糞便である、請求項５に記載の方法。
【請求項７】
前記試験試料は、環境試料である、請求項１に記載の方法。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
実質的に純粋なテルペングリコシド及び少なくとも１種のシクロデキストリンを包含する包接複合体を含む飲料であって、該実質的に純粋なテルペングリコシドがレバウジオシドＡ、レバウジオシドＢ、レバウジオシドＣ及びレバウジオシドＤ、並びにこれらの組合せよりなる群から選ばれ、該実質的に純粋なテルペングリコシドと該少なくとも１種のシクロデキストリンとのモル比が１：１〜１：２０の範囲であり、該包接複合体の溶解度が１．０％よりも高いことを特徴とする飲料。
【請求項２】
該実質的に純粋なテルペングリコシドが、無水物多形、溶媒和物多形及びアモルファス形、並びにこれらの組合せから選ばれる形態であることを特徴とする、請求項１に記載の飲料。
【請求項３】
該実質的に純粋なテルペングリコシドが水和物の形態であることを特徴とする、請求項２に記載の飲料。
【請求項４】
該実質的に純粋なテルペングリコシドが、レバウジオシドＡであることを特徴とする、請求項３に記載の飲料。
【請求項５】
該実質的に純粋なテルペングリコシドが水和物形態のレバウジオシドＡであることを特徴とする、請求項４に記載の飲料。
【請求項６】
該少なくとも１種のシクロデキストリンがγ−シクロデキストリンであることを特徴とする、請求項１又は４に記載の飲料。
【請求項７】
該包接複合体が少なくとも２種の実質的に純粋なテルペングリコシドを包含することを特徴とする請求項１〜６のいずれかに記載の飲料。
【請求項８】
実質的に純粋なテルペングリコシドの溶解度を増大させるための方法であって、実質的に純粋なテルペングリコシドを少なくとも１種のシクロデキストリンと混合して少なくとも１種の包接複合体を形成することを含み、該実質的に純粋なテルペングリコシドがレバウジオシドＡ、レバウジオシドＢ、レバウジオシドＣ及びレバウジオシドＤ、並びにこれらの組合せよりなる群から選ばれ、該実質的に純粋なテルペングリコシドと該少なくとも１種のシクロデキストリンとのモル比が１：１〜１：２０の範囲であり、飲料に添加される際の該包接複合体の溶解度が１．０％よりも高いことを特徴とする方法。
【請求項９】
少なくとも１種の包接複合体を経口摂取され得る組成物と混合することをさらに含むことを特徴とする、請求項８に記載の方法。
【請求項１０】
実質的に純粋なテルペングリコシドを少なくとも１種のシクロデキストリンと混合して少なくとも１種の包接複合体を形成する工程が、
実質的に純粋なテルペングリコシドと少なくとも１種のシクロデキストリンとを水溶液に添加し、
該水溶液を加熱し、
少なくとも１種のアルコールを該水溶液に添加し、そして
該水溶液を凍結乾燥する
ことを含むことを特徴とする、請求項８又は９に記載の方法。
【請求項１１】
該少なくとも１種の包接複合体の総重量が、該経口摂取され得る組成物の総重量に対して０．１重量％〜５重量％の範囲であることを特徴とする、請求項９又は１０に記載の方法。
【請求項１２】
該実質的に純粋なテルペングリコシドが、無水物多形、溶媒和物多形及びアモルファス形、並びにこれらの組合せから選ばれる形態であることを特徴とする、請求項８〜１１のいずれかに記載の方法。
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
配列番号：２５で表されるアミノ酸配列に関し、Ｌ１３９突然変異を有するモロニーマウス白血病ウイルス（ＭＭＬＶ）逆転写酵素を含む逆転写酵素であって、
４２℃超の温度で最適活性を有し、
任意に、前記アミノ酸配列は、更に、以下のアミノ酸位置のうちの１以上に突然変異を含むことを特徴とする逆転写酵素：
Ｌ６０３、Ｄ２００、Ｔ３３０、Ｅ６０７、Ｔ２８７、Ｑ２２１、Ｉ４９、Ｎ４７９、Ｈ５９４、Ａ５０２、Ｄ６５３、Ｋ６５８、Ｐ１３０、Ｑ２３７、Ｈ６３４、Ｄ５２４、Ａ３０７、Ｙ３４４、Ｑ４３０、Ｄ４４９、Ａ６４４、Ｎ６４９、Ｌ６７１、Ｅ６７３、Ｍ３９、Ｑ９１、Ｍ６６、Ｗ３８８、Ｉ１７９、Ｌ３３３、Ｒ３９０、Ｑ３７４、及びＥ５。
【請求項２】
少なくとも５０℃における活性が対応する野生型酵素の少なくとも５０℃における活性よりも高い請求項１に記載の逆転写酵素。
【請求項３】
５０℃における活性が対応する野生型酵素の５０℃における活性よりも高い請求項１から２のいずれかに記載の逆転写酵素。
【請求項４】
５０℃における比活性が対応する野生型酵素の５０℃における比活性の少なくとも１１０％である請求項１から３のいずれかに記載の逆転写酵素。
【請求項５】
４７．８℃において、ｃＤＮＡを合成する能力を有する請求項１から４のいずれかに記載の逆転写酵素。
【請求項６】
Ｌ１３９Ｐの突然変異と、任意に、以下の突然変異のうちの１以上を有する請求項１から５のいずれかに記載の逆転写酵素：
Ｌ６０３Ｗ、Ｌ６０３Ｍ、Ｄ２００Ｎ、Ｄ２００Ａ、Ｄ２００Ｇ、Ｔ３３０Ｐ、Ｅ６０７Ｋ、Ｅ６０７Ｇ、Ｅ６０７Ａ、Ｔ２８７Ａ、Ｑ２２１Ｒ、Ｉ４９Ｖ、Ｉ４９Ｔ、Ｎ４７９Ｄ、Ｈ５９４Ｋ、Ｈ５９４Ｒ、Ｈ５９４Ｑ、Ｈ６３４Ｙ、Ｄ５２４Ａ、Ｄ５２４Ｎ、Ｄ５２４Ｇ、Ａ５０２Ｖ、Ｄ６５３Ｇ、Ｄ６５３Ａ、Ｄ６５３Ｈ、Ｄ６５３Ｖ、Ｋ６５８Ｒ、Ｋ６５８Ｑ、Ｐ１３０Ｓ、Ｑ２３７Ｒ、Ａ３０７Ｖ、Ｙ３４４Ｈ、Ｑ４３０Ｒ、Ｄ４４９Ｇ、Ｄ４４９Ａ、Ａ６４４Ｖ、Ａ６４４Ｔ、Ｎ６４９Ｓ、Ｌ６７１Ｐ、Ｅ６７３Ｇ、Ｅ６７３Ｋ、Ｍ３９Ｖ、Ｍ３９Ｌ、Ｑ９１Ｒ、Ｑ９１Ｌ、Ｍ６６Ｌ、Ｗ３８８Ｒ、Ｉ１７９Ｔ、Ｉ１７９Ｖ、Ｌ３３３Ｑ、Ｒ３９０Ｗ、Ｑ３７４Ｒ、及びＥ５Ｋ。
【請求項７】
少なくとも２つの突然変異を有する請求項１から６のいずれかに記載の逆転写酵素。
【請求項８】
少なくとも２つの突然変異が、Ｌ１３９及びＤ２００に存在する請求項７に記載の逆転写酵素。
【請求項９】
少なくとも２つの突然変異が、Ｌ１３９Ｐ及びＤ２００Ｎである請求項８に記載の逆転写酵素。
【請求項１０】
少なくとも２つの突然変異が、Ｌ１３９及びＴ３３０に存在する請求項７に記載の逆転写酵素。
【請求項１１】
少なくとも２つの突然変異が、Ｌ１３９Ｐ及びＴ３３０Ｐである請求項１０に記載の逆転写酵素。
【請求項１２】
少なくとも２つの突然変異が、Ｌ１３９及びＮ４７９に存在する請求項７に記載の逆転写酵素。
【請求項１３】
少なくとも２つの突然変異が、Ｌ１３９Ｐ及びＮ４７９Ｄである請求項１２に記載の逆転写酵素。
【請求項１４】
少なくとも２つの突然変異が、Ｌ１３９及びＬ６０３に存在する請求項７に記載の逆転写酵素。
【請求項１５】
少なくとも２つの突然変異が、Ｌ１３９Ｐ及びＬ６０３Ｗである請求項１４に記載の逆転写酵素。
【請求項１６】
アミノ酸位置Ｄ６５３の突然変異は、Ｄ６５３Ｎではない請求項１に記載の逆転写酵素。
【請求項１７】
アミノ酸位置Ｈ５９４の突然変異は、Ｈ５９４Ａではない請求項１に記載の逆転写酵素。
【請求項１８】
請求項１から１７のいずれかに記載の逆転写酵素をコードするポリヌクレオチド。
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
開始条件が成立したことに基づいて変動表示を行い、遊技者にとって有利な有利状態に制御可能な遊技機であって、
前記変動表示に関する情報を保留記憶として記憶する保留記憶手段と、
前記開始条件が成立する以前に、前記変動表示が第１状態となるか否か、及び、前記変動表示が該第１状態と異なる第２状態となるか否かを判定する判定手段と、
前記保留記憶に対応した保留表示を所定の表示態様で表示する保留表示制御手段と、
前記判定手段の判定結果に基づいて、前記第１状態となる可能性があることを予告する第１予告演出と、前記第２状態となる可能性があることを予告する第２予告演出とについて、前記判定手段による判定の対象となった前記変動表示の前記開始条件が成立する以前に実行するか否かを決定する予告演出決定手段と、
前記第１予告演出を実行すると決定されたことに基づいて該第１予告演出を実行し、前記第２予告演出を実行すると決定されたことに基づいて該第２予告演出を実行する予告演出実行手段と、を備え、
前記予告演出実行手段は、
前記第１予告演出を実行すると決定されたことに基づいて、前記判定手段による判定の対象となった前記変動表示の前記開始条件が成立する以前に実行される変動表示において、その変動表示期間が所定条件を満たす場合に、当該判定の対象となった前記変動表示に対応した保留表示に対して第１保留演出を実行して当該保留表示の表示態様を第１表示態様に変化させ、
前記第２予告演出を実行すると決定されたことに基づいて、前記判定手段による判定の対象となった前記変動表示の前記開始条件が成立する以前に実行される変動表示において、その変動表示期間が所定条件を満たす場合に、当該判定の対象となった前記変動表示に対応した保留表示に対して第２保留演出を実行して当該保留表示の表示態様を前記第１表示態様と異なる第２表示態様に変化させ、
前記第１保留演出は複数種類存在し、実行される前記第１保留演出の種類に応じて前記保留表示の表示態様が前記第１表示態様に変化する割合が異なることを特徴とする遊技機。
【手続補正２】
【補正対象書類名】明細書
【補正対象項目名】０００１
【補正方法】変更
【補正の内容】
【０００１】
本発明は、開始条件が成立したことに基づいて変動表示を行い、遊技者にとって有利な有利状態に制御可能な遊技機に関する。
【手続補正３】
【補正対象書類名】明細書
【補正対象項目名】０００７
【補正方法】変更
【補正の内容】
【０００７】
まず手段１に係る発明は、
開始条件が成立したこと（第１特別図柄及び第２特別図柄のいずれの変動表示も実行されておらず、かつ大当り遊技状態でもないこと）に基づいて変動表示を行い（第１特別図柄表示器８ａ，第２特別図柄表示器８ｂ）、遊技者にとって有利な有利状態（大当り遊技状態）に制御可能な遊技機であって、
前記変動表示に関する情報を保留記憶として記憶する保留記憶手段（図２０（Ｂ）に示す第１保留記憶バッファ及び第２保留記憶バッファ）と、
前記開始条件が成立する以前に、前記変動表示が第１状態となるか否か、及び、前記変動表示が該第１状態と異なる第２状態となるか否かを判定する判定手段（Ｓ１２１７又はＳ１２２８の入賞時演出処理を行う遊技制御用マイクロコンピュータ５６０）と、
前記保留記憶に対応した保留表示を所定の表示態様で表示する保留表示制御手段（演出表示装置９の合算保留記憶表示部１８ｃ）と、
前記判定手段の判定結果に基づいて、前記第１状態となる可能性があることを予告する第１予告演出（保留表示の色変化）と、前記第２状態となる可能性があることを予告する第２予告演出（保留表示の形状変化）とについて、前記判定手段による判定の対象となった前記変動表示の前記開始条件が成立する以前に実行するか否かを決定する予告演出決定手段（Ｓ６０１０，Ｓ６０２７，Ｓ８０１０の処理を行う演出制御用マイクロコンピュータ１００）と、
前記第１予告演出を実行すると決定されたことに基づいて該第１予告演出を実行し、前記第２予告演出を実行すると決定されたことに基づいて該第２予告演出を実行する予告演出実行手段（Ｓ８１０８の処理を行う演出制御用マイクロコンピュータ１００）と、を備え、
前記予告演出実行手段は、
前記第１予告演出を実行すると決定されたことに基づいて、前記判定手段による判定の対象となった前記変動表示の前記開始条件が成立する以前に実行される変動表示において、その変動表示期間が所定条件を満たす場合に、当該判定の対象となった前記変動表示に対応した保留表示に対して第１保留演出（図６０：刷毛１１１０とバケツ１１２０を持った小人１１００又は巨人１２００が登場）を実行して当該保留表示の表示態様を第１表示態様（図６２（ａ）：変化なし，青，赤）に変化させ、
前記第２予告演出を実行すると決定されたことに基づいて、前記判定手段による判定の対象となった前記変動表示の前記開始条件が成立する以前に実行される変動表示において、その変動表示期間が所定条件を満たす場合に、当該判定の対象となった前記変動表示に対応した保留表示に対して第２保留演出（図６１：ハンマー１２１０を持った小人１１００又は巨人１２００が登場）を実行して当該保留表示の表示態様を前記第１表示態様と異なる第２表示態様（図６２（ｂ）：割れない，割れる）に変化させ、
前記第１保留演出は複数種類存在し、実行される前記第１保留演出の種類に応じて前記保留表示の表示態様が前記第１表示態様に変化する割合が異なることを特徴とする遊技機である。
【手続補正書】
【提出日】平成28年5月13日(2016.5.13)
【手続補正１】
【補正対象書類名】明細書
【補正対象項目名】発明の名称
【補正方法】変更
【補正の内容】
【発明の名称】陰圧創傷治療装置、及び流体連通路を選択的に設けるためのチャネル要素の製造方法
【手続補正２】
【補正対象書類名】特許請求の範囲
【補正対象項目名】全文
【補正方法】変更
【補正の内容】
【特許請求の範囲】
【請求項１】
陰圧の第１領域を含むように構成された第１チャンバと、
陰圧の第２領域を含むように構成された第２チャンバであって、陰圧を創傷ドレッシングに伝達するように構成された第２チャンバと、
前記第１チャンバと前記第２チャンバとの間に流体連通路を選択的に設けるように配置された弁要素であって、該弁要素が周囲大気圧に露出された外面を備え、第１の端部が陰圧の前記第１領域に露出されるように構成されており、第２の端部が陰圧の前記第２領域に露出されるように構成されており、前記周囲大気圧と陰圧の前記第２領域との圧力差が閾値圧力差より大きいときに、前記弁要素が前記第１チャンバと前記第２チャンバとの間の前記流体連通路を選択的に閉鎖する弁要素と、を備える、陰圧創傷治療装置。
【請求項２】
前記圧力差が前記閾値圧力差より小さいときに、前記弁要素が前記流体連通路を設ける開放構成に移動するように構成されている、請求項１に記載の陰圧創傷治療装置。
【請求項３】
前記第２チャンバが動作時に時間とともに周囲大気圧に近付くように構成され、
前記第１チャンバが前記流体連通路を陰圧の前記第２領域を補給するように構成されている、請求項１に記載の陰圧創傷治療装置。
【請求項４】
陰圧の前記第１領域は、定期的に補給されるように構成された陰圧溜めを備える、請求項１に記載の陰圧創傷治療装置。
【請求項５】
前記陰圧溜めは前記流体連通路が設けられる時間スケールよりも長い時間スケールで定期的に補給されるように構成されている、請求項４に記載の陰圧創傷治療装置。
【請求項６】
前記弁要素が前記流体連通路を設ける開放構成へ付勢されている、請求項１に記載の陰圧創傷治療装置。
【請求項７】
前記第１チャンバの陰圧が前記第２チャンバ内の圧力を低減するのに十分であり、前記弁要素によって前記流体連通路が閉鎖される、請求項１に記載の陰圧創傷治療装置。
【請求項８】
前記第１チャンバは可撓性真空溜めを備え、
前記可撓性真空溜めが崩れた初期状態から回復時に真空を生成するように構成されている、請求項１に記載の陰圧創傷治療装置。
【請求項９】
機械エネルギーを溜めるように構成された内部要素を更に備える、請求項８に記載の陰圧創傷治療装置。
【請求項１０】
前記内部要素はばねを備える、請求項９に記載の陰圧創傷治療装置。
【請求項１１】
前記第１チャンバは前記第２チャンバの容積より２倍より大きい容積を有する、請求項１に記載の陰圧創傷治療装置。
【請求項１２】
前記第１チャンバは前記第２チャンバの容積の５０倍を超えない容積を有する、請求項１に記載の陰圧創傷治療装置。
【請求項１３】
流体連通路を選択的に設けるためのチャネル要素の製造方法であって、
チャネル要素を変形プロセスにかけるステップを含み、前記変形プロセスにおいて、前記チャネル要素の対向する側壁が変形されて、前記対向する側壁が離間するときの開放構成と、前記対向する側壁が当接するときの閉鎖構成との間の移動を助け、前記対向する側壁の内面と外面との間の前記側壁上のまたは前記側壁への圧力差に応じて前記チャネル要素のチャネルを閉鎖または開放することを特徴とする方法。
【請求項１４】
流体連通路を選択的に設けるためのチャネル要素を製造する方法であって、
第１の側壁要素の第１の面に、チャネル領域を画定するマスキング片を重ねるステップと、
前記第１の側壁要素の前記第１の面と前記マスキング片とに重なる第２の側壁要素を形成して、前記第１の面の前記マスキング片のない領域で前記第１および第２の側壁要素が共に結合されるようにするステップと、
前記チャネル要素を備えた前記第１および第２の側壁要素間から、前記マスキング片を除去するステップと、
を含むことを特徴とする方法。
【請求項１５】
前記第１および第２の側壁要素の少なくとも一方が弾性であることを特徴とする請求項１４に記載の方法。
【請求項１６】
前記第１および第２の側壁要素が、接触時に両面セルフシールとなる材料から形成されることを特徴とする請求項１４又は１５に記載の方法。
【請求項１７】
開放部を有する入口要素を、前記チャネル要素の第１の端部で前記第１および第２の側壁要素間に挿入するステップと、
開放部を有する出口要素を、前記チャネル要素の第２の端部で前記第１および第２の側壁要素間に挿入するステップと、
をさらに含むことを特徴とする請求項１４〜１６のいずれか一項に記載の方法。
【請求項１８】
前記入口および出口要素を位置決めして、前記チャネル要素が閉鎖する前記入口要素の圧力レベルを制御するステップをさらに含むことを特徴とする請求項１７に記載の方法。
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
被検体に照射するための光を発生する光源と、
前記光源から発生した光を前記被検体に導く導光手段と、
照射された光を吸収した前記被検体が発生する弾性波を検出する検出手段と、
前記検出手段と、前記導光手段の少なくとも一部と、を収納するプローブ筐体と、を有する装置であって、
前記プローブ筐体の少なくとも一部が部材で覆われた状態で、前記プローブ筐体に収納された前記導光手段の前記少なくとも一部から射出される光の強度を検査することを特徴とする装置。
【請求項２】
前記プローブ筐体の少なくとも一部を覆う部材は、前記プローブ筐体に対して着脱可能であることを特徴とする請求項１に記載の装置。
【請求項３】
前記プローブ筐体の少なくとも一部を覆う部材は、前記光の強度を検査するための部材を有することを特徴とする請求項１又は２に記載の装置。
【請求項４】
前記光の強度を検査するための部材は、グリュナイゼンパラメータ及び吸収係数が既知の基準部材を有し、
前記光強度を検査する場合に、前記基準部材に前記プローブ筐体に収納された前記導光手段の前記少なくとも一部から射出される光が照射されることで、前記光の強度を検査することを特徴とする請求項３に記載の装置。
【請求項５】
前記基準部材は、光が照射されることで弾性波を発生することを特徴とする請求項４に記載の装置。
【請求項６】
前記基準部材で発生した弾性波は、前記弾性波検出手段で検出されることを特徴とする請求項５に記載の装置。
【請求項７】
前記光の強度の検査結果に基づき、前記光源から発生する光の光強度を制御する制御手段を有することを特徴とする請求項１乃至６のいずれか１項に記載の装置。
【請求項８】
前記プローブ筐体の少なくとも一部を覆う部材は、前記光の強度を検査する場合に、前記プローブ筐体に収納された前記導光手段の前記少なくとも一部を覆うことを特徴とする請求項１乃至７のいずれか１項に記載の装置。
【請求項９】
前記導光手段は、光拡散手段を有することを特徴とする請求項１乃至８のいずれか１項に記載の装置。
【請求項１０】
前記検出手段で検出した弾性波に対応する電気信号から画像を取得する信号解析部を有することを特徴とする請求項１乃至９のいずれか１項に記載の装置。
【請求項１１】
前記信号解析部は、照射された光を吸収した前記被検体が発生する弾性波に対応する電気信号から第１の画像を取得し、超音波エコーで取得された電気信号から第２の画像を取得し、
前記第１の画像と前記第２の画像とをディスプレイに表示させることを特徴とする請求項１０に記載の装置。
【請求項１２】
前記第１の画像と前記第２の画像とを重ねてディスプレイに表示させることを特徴とする請求項１１に記載の装置。
【手続補正２】
【補正対象書類名】明細書
【補正対象項目名】００１０
【補正方法】変更
【補正の内容】
【００１０】
本発明は、被検体に照射するための光を発生する光源と、前記光源から発生した光を前記被検体に導く導光手段と、照射された光を吸収した前記被検体が発生する弾性波を検出する検出手段と、前記検出手段と、前記導光手段の少なくとも一部と、を収納するプローブ筐体と、を有する装置であって、前記プローブ筐体の少なくとも一部が部材で覆われた状態で、前記プローブ筐体に収納された前記導光手段の前記少なくとも一部から射出される光の強度を検査することを特徴とする。